(57)【要約】      （修正有）【課題】片手だけでの基本的な演奏でも簡単にリズミカルでノリの良いビート感のあるリズムを生み出すことができるリズム楽器の提供。【解決手段】複数の粒状物６を封入した中空球体１と、釣鐘状発音体２と、中空球体１および釣鐘状発音体２を連結する紐５とを有し、釣鐘状発音体２は複数の粒状物６を封入した中空振り子４と釣鐘状殻３と釣鐘状殻位置保持手段から成り、紐５は釣鐘状殻３を貫通して中空球体１と中空振り子４とを連結する。【選択図】図２
0003201298.tif 000002
【実用新案登録請求の範囲】
【請求項１】
複数の粒状物を封入した中空球体と釣鐘状発音体と前記中空球体および前記釣鐘状発音体を連結する紐とを有し、前記釣鐘状発音体は複数の粒状物を封入した中空振り子と釣鐘状殻と釣鐘状殻位置保持手段から成り、前記紐は前記釣鐘状殻を貫通して前記中空球体と前記中空振り子とを連結することを特徴とするリズム楽器。
【考案の詳細な説明】
【技術分野】
【０００１】
本考案は、リズム楽器に関する。
【背景技術】
【０００２】
アフリカの民族楽器でアサラトと呼称されるマラカスとカスタネットの機能を併せ持ったような、手に持って演奏する木の実製のリズム楽器があり、玩具としても普及している。
【０００３】
一般的なアサラトの形態は、直径が４〜５ｃｍ程のよく乾燥させた中空の木の実を二つ紐で繋いだもので、中空の木の実の中には多数の植物の実が入れられている。アサラトで演奏するリズムは、中空の木の実同志がぶつかり生じる「カチッ」という衝撃音と、中空の木の実に入れられた植物の実が植物の実同志、あるいは中空の木の実の内壁にぶつかり生じる「シャカシャカ」というマラカスのような音で構成される。
【０００４】
また、木の実製のアサラトを原型として木製、コルク製、プラスチック製、樹脂製など材質を変えたものもあり、呼称についても様々なものがある。これらの派生品は、材質、呼称が異なっても基本的な形態および演奏方法は、アサラトと同様であるのでこれらを総じて以降、アサラトと記載する。また、用語の混乱を避けるため、前述のアサラトの説明で使用した用語に関して、以降「中空の木の実」を「中空球体」に、「多数の植物の実」を「複数の粒状物」に置き換えて記載する。
【０００５】
アサラトの基本的な持ち方は、先ず、ブランデーグラスを持つ要領で手のひら側に片方の中空球体を持ち、繋がれた紐を人差し指と中指の間の根元で挟む。次に、手の甲側に垂れているもう片方の中空球体を小指の方から回り込ませて手のひら側に移し、先に手のひら側に持った中空球体と合わせて掴む。
【０００６】
アサラトの基本的な演奏方法は、基本的な持ち方の状態から手を開いて二つの中空球体を放し、肘を支点にして手を振り出し振り戻すことである。手を振り出し振り戻す動作の反動で、手の甲側の中空球体は親指の方あるいは小指の方から手のひら側に回り込み、手のひら側の中空球体とぶつかり「カチッ」という衝突音が生じる。
【０００７】
また、手を振り出し振り戻す動作は、手のひら側の中空球体も振ることになるので、手のひら側の中空球体に封入した複数の粒状物が粒状物同志、あるいは中空球体の内壁にぶつかり「シャカシャカ」というマラカスのような音も生じる。
【０００８】
アサラトの基本的な演奏方法では、この手のひら側の中空球体が振られて生じる「シャカシャカ」というマラカスのような音がリズムの基調となるビートを打つ役目となり、中空球体同士がぶつかり生じる「カチッ」という衝突音と共になってリズムを生み出す。
【０００９】
中空球体同士がぶつかり生じる「カチッ」という衝突音は音量も大きくインパクトがあるが、手のひら側の中空球体が振られて生じる「シャカシャカ」というマラカスのような音は音量も小さく音質が軽い。アサラトの演奏では、この音量も小さく音質が軽い「シャカシャカ」というマラカスのような音がリズムの基調となるビートを打つ役目となるため、リズミカルでノリの良いビート感に乏しかった。
【００１０】
熟達した演奏者は、これらの弱点を補うため片手だけではなく両手にそれぞれアサラトを持ち演奏するのが一般的である。両手を使った演奏では、片手ごとに違うリズムを刻んだり、両手に持ったアサラトの中空球体を互いにぶつけ合ったりするなど様々な工夫を行っている。これにより音数を増やしリズムを複雑化することにより、リズミカルでノリの良いビート感のあるリズムを生み出す方法もあるが、これらが出来るようになるには高度な演奏テクニックの習得と長期の練習が必要となっていた。
【先行技術文献】
【特許文献】
【００１１】
【特許文献１】登録実用新案公報（Ｕ）第３０２０１５３号公報
【考案の概要】
【考案が解決しようとする課題】
【００１２】
リズミカルでノリの良いビート感のあるリズムを生み出すことは、高度な演奏テクニックの習得と長期の練習が必要となっていた。
【課題を解決するための手段】
【００１３】
本考案は、複数の粒状物を封入した中空球体と釣鐘状発音体と前記中空球体および前記釣鐘状発音体を連結する紐とを有し、前記釣鐘状発音体は複数の粒状物を封入した中空振り子と釣鐘状殻と釣鐘状殻位置保持手段から成り、前記紐は前記釣鐘状殻を貫通して前記中空球体と前記中空振り子とを連結するものである。
【考案の効果】
【００１４】
釣鐘状発音体を構成する釣鐘状殻と複数の粒状物を封入した中空振り子は、手を振り出し振り戻す動作を行う中で、意識して振ることもできるが、あえて振ることを意識せずとも自然に振れるので、従来のアサラトでは生み出し難かった本考案独自の「カタカタ」という打刻音が簡単に生じる。この打刻音は比較的音量も大きく、はっきりしたビートを打つ役目を持つ。このビートを基調としたリズムは、よく欧米のポップミュージックで聴かれる拍子の裏拍を強調した感じのリズムにも聞こえる。このように片手だけでの基本的な演奏方法でも簡単にリズミカルでノリの良いビート感のあるリズムを生み出すことができる。
【図面の簡単な説明】
【００１５】
【図１】図１はリズム楽器の全体を示す図（実施例１）
【図２】図２は図１のＡ−Ａ断面を示す図（実施例１）
【図３】図３はリズム楽器の全体を示す図（実施例２）
【図４】図４は図３のＡ−Ａ断面を示す図（実施例２）
【図５】図５はリズム楽器の持ち方の手順を示す図（実施例１）
【図６】図６は中空球体と釣鐘状発音体が衝突する様子を示す図（実施例１）
【図７】図７は中空振り子と釣鐘状殻が衝突する様子を示す図（実施例１）
【考案を実施するための形態】
【００１６】
以下、本考案の実施例１を図１、２、５、６、７に基づいて詳細に説明する。
【実施例１】
【００１７】
中空球体１は、直径５ｃｍ程度が適当であり、音が響く硬質の素材を用いた。中空球体１の直径の両端に紐５を通す穴を開けた。中空球体１の中には複数の粒状物６を封入した。粒状物６は、直径３ｍｍ程度が適当であり、硬質の素材を用いた。
【００１８】
釣鐘状発音体２は、中空振り子４、釣鐘状殻３、スペーサー７で構成した。中空振り子４の中には複数の粒状物６を封入した。釣鐘状発音体２は、構成する部品を組み合わせた状態で中空球体１に準じた大きさが適当である。
【００１９】
中空振り子４は、形状が円筒型で直径は３ｃｍ程度が適当であり、音が響く硬質の素材を用いた。中空振り子４は、円筒の両端に中央を貫く紐５を通すための穴を開け、中空振り子４の中には複数の粒状物６を封入した。粒状物６は、直径３ｍｍ程度が適当であり、硬質の素材を用いた。
【００２０】
釣鐘状殻３は、淵の直径が５ｃｍ程度のものが適当であり、音が響く硬質の素材を用いた。釣鐘状殻３は、釣鐘の頂点に当たる箇所に紐５を通す穴を開けた。
【００２１】
スペーサー７は、形状がドーナツ型であり、円周部に丸みをつけ中央に紐５を通す穴を開けた。スペーサー７は、硬質の素材を用いた。
【００２２】
実施例１では、スペーサー７を二個設けているが、釣鐘状殻３と中空振り子４との間隔について紐５が柔軟に曲がり中空振り子４のスムーズな振れが実現でき、中空振り子４に対する釣鐘状殻３の位置、すなわち釣鐘状殻３と中空振り子４との間隔が一定に保持できれば個数は適宜設けてよく、形状も前記の条件を満たせば限定されない。
【００２３】
次に、実施例１のリズム楽器の作用について説明する。
【００２４】
リズム楽器の基本的な持ち方は、先ず、図５のＤで示すようにブランデーグラスを持つ要領で手のひら側に釣鐘状発音体２を持ち、紐５を人差し指と中指の間の根元で挟む。次に、図５のＥで示すように手の甲側に垂れているもう中空球体１を小指の方から回り込ませて手のひら側に移し、先に手のひら側に持った釣鐘状発音体２と合わせて掴む。
【００２５】
リズム楽器の基本的な演奏方法は、基本的な持ち方の状態から手を開いて中空球体１と釣鐘状発音体２を放し、肘を支点にして手を振り出し振り戻すことである。手を振り出し振り戻す動作の反動によりに、手の甲側の中空球体１は、親指の方あるいは小指の方から手のひら側に回り込み、手のひら側にある釣鐘状発音体２にぶつかり「カチッ」という衝突音が生じる。
【００２６】
図６のＦは、手を振り出し振り戻すときの途中経過の状態を示している。図６のＧは、手を振り出し切った状態であり、反動で手の甲側の中空球体１が親指の方から手のひら側に回り込み、手のひら側にある釣鐘状発音体２とぶつかり「カチッ」という衝突音が生じる場面を示している。図６のＨは、手を振り戻し切った状態であり、反動で手の甲側の中空球体１が、小指の方から手のひら側に回り込み、手のひら側にある釣鐘状発音体２とぶつかり「カチッ」という衝突音が生じる場面を示している。
【００２７】
手を振り出し振り戻す動作により、図７で示すように手のひら側にある釣鐘状発音体２も振れる。釣鐘状発音体２を構成する釣鐘状殻３と中空振り子４は、通した紐５で中心位置が拘束されているだけでありそれぞれ独立して振れる。中空振り子４は釣鐘状殻３より少し大きく振れ、釣鐘状殻３の淵にぶつかる。中空振り子４の振れの往復で釣鐘状殻３の淵の二か所にぶつかるため「カタカタ」という打刻音が生じる。
【００２８】
本考案では、先ず、従来のアサラトと同様の基本的な演奏方法により、手を振り出し振り戻す動作を行うと、反動で手の甲側の中空球体１が親指の方あるいは小指の方から手のひら側に回り込んで、手のひら側にある釣鐘状発音体２とぶつかり、従来のアサラトと同様に「カチッ」という衝突音が生じる。
【００２９】
また、手を振り出し振り戻す動作は、従来のアサラトにおける手のひら側の中空球体と同様に、釣鐘状発音体２の中空振り子４を振らすので、中空振り子４に封入された複数の粒状物６が粒状物６同志、あるいは中空振り子４の内壁にぶつかり、従来のアサラトと同様に「シャカシャカ」というマラカスのような音が生じる。
【００３０】
この中空振り子４の振れは、図７で示すように釣鐘状殻３より少し大きく振れるため、釣鐘状殻３の淵にぶつかる。中空振り子４の振れは、往復で釣鐘状殻３の淵の二か所にぶつかるため本考案独自の「カタカタ」という打刻音を生じる。
【００３１】
中空振り子４の振れを、手を振り出し振り戻す動作を行う中で意識して生み出すこともできるが、あえて振ることを意識せずとも自然に振れるので、従来のアサラトでは生み出し難かった本考案独自の「カタカタ」という打刻音が簡単に生じる。この打刻音は比較的音量も大きく、はっきりしたビートを打つ役目を持つ。このビートを基調としたリズムは、よく欧米のポップミュージックで聴かれる拍子の裏拍を強調した感じのリズムにも聞こえる。このように片手だけでの基本的な演奏方法でも簡単にリズミカルでノリの良いビート感のあるリズムを生み出すことができる。
【００３２】
中空球体１と釣鐘状発音体２は、紐５をそれぞれの穴に通し連結する。紐５の直径は５ｍｍ程度が適当であり、長さは結び目８を形成する余裕分を含めて４０ｃｍ程度が適当である。紐５の両端は、中空球体１と釣鐘状発音体２が抜け落ちないよう結び目８を設けた。
【００３３】
連結した中空球体１と釣鐘状発音体２の間隔は、結び目８を設ける位置を変えることにより調整できるという特有の効果がある。
【００３４】
また、スペーサー７は、形状がドーナツ型で円周部に丸みを付けているため可動し易く、スペーサー７を通した部分の紐５はどの方向にも柔軟に曲がり易い。これにより中空振り子４はスムーズに振れることができ、且つ、中空振り子４に対する釣鐘状殻３の位置、すなわち釣鐘状殻３と中空振り子４との間隔が一定に保持できるため、安定した打刻音を発することができる。
【００３５】
前記実施例１ではスペーサー７を設けたが、本部品に依らずとも、紐５の直径を大きくし、且つ、釣鐘状殻３に開けた紐５を通す穴の直径を小さくすれば、それらが接する箇所の摩擦力により、中空振り子４に対する釣鐘状殻３の位置、すなわち釣鐘状殻３と中空振り子４との間隔が一定に保持できる。保持する手段は、摩擦力に頼らずとも接着剤などにより固着する方法でもよい。
【００３６】
次に、以下、本考案の実施例２を図３、４に基づいて詳細に説明する。
【実施例２】
【００３７】
中空球体１は、直径５ｃｍ程度が適当であり、音が響く硬質の素材を用いた。中空球体１の中に複数の粒状物６を封入した。粒状物６は、直径３ｍｍ程度が適当であり硬質の素材を用いた。
【００３８】
釣鐘状発音体２は、中空振り子４と釣鐘状殻３で構成した。中空振り子４の中には複数の粒状物６を封入した。釣鐘状発音体２は、構成する部品を組み合わせた状態で、中空球体１に準じた大きさが適当である。
【００３９】
中空振り子４は、形状が円筒型で直径は３ｃｍ程度が適当であり、音が響く硬質の素材を用いた。中空振り子４の中には複数の粒状物６を封入した。粒状物６は、直径３ｍｍ程度が適当であり、硬質の素材を用いた。
【００４０】
釣鐘状殻３は、殻の淵の直径が５ｃｍ程度のものが適当であり、音が響く硬質の素材を用いた。釣鐘状殻３は、釣鐘の頂点に当たる箇所に紐５を通す穴を開けた。
【００４１】
釣鐘状殻３の穴に紐５を通し、釣鐘状殻３の淵側にある紐５の端部（図４のＡ）に中空振り子４を接着剤などで固着し、釣鐘状殻３の釣鐘の頂点側にある紐５の端部（図４のＢ）に中空球体１を接着剤などで固着する。釣鐘状殻３は中空振り子４との間隔を１２ｍｍ程度設けた位置（図４のＣ）に接着剤などで固着する。紐５の直径は５ｍｍ程度が適当であり、長さは１３ｃｍ程度が適当である。
【００４２】
以上の構成により、中空振り子４に対する釣鐘状殻３の位置、すなわち釣鐘状殻３と中空振り子４との間隔が一定に保持できる。実施例１と同様の作用を行うのに際して、中空振り子４のしなやかな振れが実現でき、安定した打刻音を発することができる。
【００４３】
実施例２においても実施例１と同様、従来のアサラトでは生み出し難かった本考案独自の「カタカタ」という打刻音が簡単に生じるという効果を奏するものである。
【００４４】
また、実施例２は、釣鐘状殻３と中空振り子４を最短の紐５で連結するため、紐５の長さは実施例１と比較して三分の一程度で済み、また実施例１にあるスペーサー７が省かれたため構成物の点数も減少している。このようにリズム楽器の軽量化および構成物の簡素化も計れるという特有の効果も奏する。
【００４５】
以上本考案を実施例１および２に基づいて説明したが、本考案は前記実施例に限定されるものではなく、実用新案登録請求の範囲に記載の構成を変更しない限りどのようにでも実施できる。
【産業上の利用可能性】
【００４６】
片手だけでの基本的な演奏方法でも簡単にリズミカルでノリの良いビート感のあるリズムを生み出すことができる。
【符号の説明】
【００４７】
１.中空球体
２.釣鐘状発音体
３.釣鐘状殻
４.中空振り子
５.紐
６.粒状物
７.スペーサー
８.結び目
【図１】
0003201298.tif 000003
【図２】
0003201298.tif 000004
【図３】
0003201298.tif 000005
【図４】
0003201298.tif 000006
【図５】
0003201298.tif 000007
【図６】
0003201298.tif 000008
【図７】
0003201298.tif 000009